(57)【特許請求の範囲】
【請求項１】
複数種類の無線通信システムによる通信を行う無線通信装置において、
通信相手となる他の無線通信装置と前記データの送受信を行うアンテナと、
非同期データのパケットを扱う第１無線通信システムに対する前記データの符号化処理及び復号化処理の少なくともいずれか一方のデータ処理を行う第１データ通信制御部と、
同期データのパケットを扱う第２無線通信システムに対する前記データの符号化処理及び復号化処理の少なくともいずれか一方のデータ処理を行う第２データ通信制御部と、
を備え、
前記第１無線通信システムを利用するとき、前記第１無線通信システムに使用するチャンネル周波数を選択するとともに、前記アンテナと前記第１データ通信制御部とを接続し、
前記第２無線通信システムを利用するとき、前記第２無線通信システムに使用するチャンネル周波数を選択するとともに、前記アンテナと前記第２データ通信制御部とを接続することを特徴とする無線通信装置。
【請求項２】
前記第２データ通信制御部が、更に、データの圧縮符号化及び伸長復号化の少なくともいずれか一方の処理を行うデータ処理部を備えることを特徴とする請求項１に記載の無線通信装置。
【請求項３】
前記第２データ通信制御部が、前記データ処理部を並列的に複数備えることを特徴とする請求項２に記載の無線通信装置。
【請求項４】
前記非同期データに対する無線通信システム又は前記同期データに対する無線通信システムのいずれか一方のみによる通信を行うように、通信の切換を行うとともに、
前記第１無線通信システムによる通信を行うとき、前記第１データ通信制御部をＯＮとするとともに前記第２データ通信制御部をＯＦＦとし、
前記第２無線通信システムによる通信を行うとき、前記第１データ通信制御部をＯＦＦとするとともに前記第２データ通信制御部をＯＮとすることを特徴とする請求項１〜請求項３のいずれかに記載の無線通信装置。
【請求項５】
前記第１データ通信制御部とデータのやり取りを行う第１データバスと、前記第２データ通信制御部とデータのやり取りを行う第２データバスと、を有し、
前記第１及び第２データバスによって、外部の電子機器とデータの入出力を行うことを特徴とする請求項１〜請求項４のいずれかに記載の無線通信装置。
【請求項６】
前記第１データ通信制御部とデータのやり取りを行う第１データバスと、
アナログデータの外部入力及び外部出力の少なくとも一方を行うアナログ端子と、
前記第２データ通信制御部からのデジタルデータのＤ／Ａ変換及び前記アナログ端子からのアナログデータのＡ／Ｄ変換の少なくとも一方の変換処理を行うデータ変換部と、
を有することを特徴とする請求項２又は請求項３に記載の無線通信装置。
【請求項７】
前記第２データ通信制御部とデータのやり取りを行う第２データバスを有することを特徴とする請求項６に記載の無線通信装置。
【請求項８】
前記データバスと前記アナログ端子とを共通のコネクタで構成することを特徴とする請求項６又は請求項７に記載の無線通信装置。
【請求項９】
前記第１データバス及び前記第２データバスを共通のデータバスとすることを特徴とする請求項５又は請求項７に記載の無線通信装置。
【請求項１０】
前記第１無線通信システムによる通信動作と前記第２無線通信システムによる通信動作との切り換えが、前記データバスを通じて外部より制御されることを特徴とする請求項５〜請求項９のいずれかに記載の無線通信装置。
【請求項１１】
前記第１無線通信システムによる通信動作と前記第２無線通信システムによる通信動作との切り換えを行うための切換制御部を有することを特徴とする請求項１〜請求項９のいずれかに記載の無線通信装置。
【請求項１２】
前記切換制御部において、受信した信号が前記非同期データか又は前記同期データかを判定するとともに、該判定結果に基づいて、それぞれの無線通信システムによる通信動作を行うように切り換えることを特徴とする請求項１１に記載の無線通信装置。
【請求項１３】
前記アンテナで所望のチャンネル周波数の無線信号を送受信するためにチャンネル周波数設定を行う無線アナログ部と、前記アンテナ及び前記無線アナログ部によって送信するデータの変調を行うとともに前記アンテナ及び前記無線アナログ部によって受信した無線信号の復調を行う変復調部と、を有し、
前記変復調部が、前記第１データ通信制御部と接続された前記非同期データ用の第１変復調部と、前記第２データ通信制御部と接続された前記同期データ用の第２変復調部とによって構成されることを特徴とする請求項１〜請求項１２のいずれかに記載の無線通信装置。
【請求項１４】
前記アンテナで所望のチャンネル周波数の無線信号を送受信するためにチャンネル周波数設定を行う無線アナログ部と、前記アンテナ及び前記無線アナログ部によって送信するデータの変調を行うとともに前記アンテナ及び前記無線アナログ部によって受信した無線信号の復調を行う変復調部と、を有し、
前記無線アナログ部が、前記非同期データ用のチャンネル周波数設定を行う第１無線アナログ部と、前記同期データ用のチャンネル周波数設定を行う第２無線アナログ部とによって構成されることを特徴とする請求項１〜請求項１２のいずれかに記載の無線通信装置。
【請求項１５】
前記アンテナで所望のチャンネル周波数の無線信号を送受信するためにチャンネル周波数設定を行う無線アナログ部と、前記アンテナ及び前記無線アナログ部によって送信するデータの変調を行うとともに前記アンテナ及び前記無線アナログ部によって受信した無線信号の復調を行う変復調部と、を有し、
前記アンテナが、前記非同期データを受信する第１アンテナと、前記同期データを受信する第２アンテナとによって構成されることを特徴とする請求項１〜請求項１２のいずれかに記載の無線通信装置。
【請求項１６】
前記非同期データ信号に対する通信の要求がある場合は、現在前記非同期データ信号の通信中であるかを判定し、
前記非同期データ信号の通信中であれば、そのまま通信を続行し、
又、前記非同期データ信号の通信中でない場合は、前記同期データ信号の通信を行う状態となっているか否かを判定し、前記同期データ信号の通信を行う状態であれば前記第２データ通信制御部を停止させた後、前記非同期データ信号の通信を行う状態に切り換えるとともに、無線通信に使用するチャンネル周波数を非同期データ信号用の周波数に切り換えた後、前記第１データ通信制御部の動作を開始することを特徴とする請求項１〜請求項１５のいずれかに記載の無線通信装置。
【請求項１７】
前記同期データ信号に対する通信の要求がある場合は、現在前記同期データ信号の通信中であるかを判定し、
前記同期データ信号の通信中であれば、そのまま通信を続行し、
又、前記同期データ信号の通信中でない場合は、前記非同期データ信号の通信を行う状態となっているか否かを判定し、前記非同期データ信号の通信を行う状態であれば前記第１データ通信制御部を停止させた後、前記同期データ信号の通信を行う状態に切り換えるとともに、無線通信に使用するチャンネル周波数を同期データ信号用の周波数に切り換えた後、前記第２データ通信制御部の動作を開始することを特徴とする請求項１〜請求項１６のいずれかに記載の無線通信装置。
【請求項１８】
前記非同期データ信号の通信を行う際に使用するチャンネル周波数と、前記同期データ信号の通信を行う際に使用するチャンネル周波数とが異なることを特徴とする請求項１〜請求項１７のいずれかに記載の無線通信装置。
【請求項１９】
前記非同期データ信号の通信を行う際に使用するチャンネル周波数と、前記同期データ信号の通信を行う際に使用するチャンネル周波数とが同一であることを特徴とする請求項１〜請求項１７のいずれかに記載の無線通信装置。
【請求項２０】
前記第２データ通信制御部が符号化処理を行うものであるとき、
前記第２データ通信制御部が、
送信する前記非同期データのパケットを一定時間保持するメモリと、
前記非同期データのパケットの再送要求を確認する再送要求確認部と、
該再送要求確認部で再送要求が確認されたときに、再送要求される前記非同期データのパケットを解析して前記メモリから読み出して、送信するパケットの一部とする再送要求パケット解析部と、
を備えることを特徴とする請求項１〜請求項１９のいずれかに記載の無線通信装置。
【請求項２１】
前記第２データ通信制御部が復号化処理を行うものであるとき、
前記第２データ通信制御部が、
再生不可能な前記非同期データのパケットを認識するデータ解析部と、
該データ解析部で認識された前記非同期データのパケットの再送要求を行う再送要求データを生成する再送要求データ生成部と、
を備えることを特徴とする請求項１〜請求項１９のいずれかに記載の無線通信装置。
【請求項２２】
前記第１及び第２無線通信システムの使用する通信方式として、直接拡散方式を利用することを特徴とする請求項１〜請求項２１のいずれかに記載の無線通信装置。
【請求項２３】
前記無線通信システムに使用する周波数帯が２．４ＧＨｚ帯であることを特徴とする請求項１〜請求項２２のいずれかに記載の無線伝送装置。
【請求項２４】
前記無線通信システムに使用する周波数帯が５ＧＨｚ帯であることを特徴とする請求項１〜請求項２２のいずれかに記載の無線伝送装置。
【発明の詳細な説明】
【０００１】
【発明の属する技術分野】
本発明は、デジタル信号を電子電気機器に対して無線伝送を行う無線通信装置に関するもので、特に、ＬＡＮ（Local Area Network）などで用いられる非同期データ信号とチューナ、ビデオ、ＤＶＤなどのＡＶ（Audio Visual）機器で用いられる同期データ信号との無線伝送を行う無線通信装置に関する。
【０００２】
【従来の技術】
現在、ＩＥＥＥ８０２．１１ｂに代表される無線通信装置による無線ＬＡＮシステムによるデータ通信は広く一般化している。又、近年、高画質の映像データをＱｏＳ（Quality of Service）を保証して送受信する手段を利用することによって、２．４ＧＨｚにて安定した高画質無線ＡＶ伝送が可能となっている。尚、「ＱｏＳ」とは、データ通信帯域を一定量確保して、品質の高いデータ通信を行うシステムを提供することをいう。
【０００３】
従来の無線ＬＡＮシステムは、図３５のように、ＬＡＮを構成する２台のＰＣ（Personal Computer）１０１，１１７によって構成される際、このＰＣ１０１，１１７に備えられたバス１０２，１１６を介して、それぞれ無線ＬＡＮの無線通信装置として働くＬＡＮカード１０８，１１８が接続される。ＰＣ１０１内のデータがバス１０２を介してＬＡＮカード１０８に与えられると、バス制御部１０３を介してデータがＬＡＮ通信制御部１０４に与えられて、所定のデータ長のデータに分割されるなどして、ＬＡＮの非同期データ信号に変換される。
【０００４】
そして、この非同期データ信号が変復調部１０５で変調された後、無線アナログ部１０６で更に拡散変調されることで、所定のチャンネルの非同期データ信号としてアンテナ１０７を介して送信される。この非同期データ信号が、ＬＡＮカード１１８のアンテナ１１１で受信されると、無線アナログ部１１２で所定チャンネルの非同期データ信号として選局されるため、ＬＡＮカード１０８から送信された非同期データ信号が変復調部１１３で復調される。その後、ＬＡＮ通信制御部１１４で元データに戻されて、バス制御部１１５及びバス１１６を介してＰＣ１１７へ伝送される。
【０００５】
又、従来の無線ＡＶ伝送システムは、図３６のように、ＡＶソース側のＡＶ機器１２１が発生するアナログＡＶデータが、ＡＶデータ送信機１２８のＡ／Ｄ変換部１２２でデジタルデータに変換された後、ＡＶエンコード部１２３でＭＰＥＧ２等の圧縮符号化方式で符号化される。この圧縮符号化されたデジタルデータがＡＶ通信制御部１２４で、所定のデータ長のデータに分割されるなどして、ＡＶ用の同期データ信号に変換される。
【０００６】
そして、この同期データ信号が変復調部１２５で変調された後、無線アナログ部１２６で更に拡散変調されることで、所定のチャンネルの同期データ信号としてアンテナ１２７を介して送信される。この同期データ信号が、ＡＶデータ受信機１３８のアンテナ１３１で受信されると、無線アナログ部１３２で所定チャンネルの同期データ信号として選局されるため、ＡＶデータ送信機１２８から送信された同期データ信号が変復調部１３３で復調される。その後、ＡＶ通信制御部１３４で処理されて得られたＭＰＥＧ２方式などによるデータが、ＡＶデコード部１３５でデコードされ、Ｄ／Ａ変換部１３６で通常のアナログＡＶデータに変換された後、ディスプレイなどのＡＶ再生装置に設けられたＡＶ入力部１３７へ出力される。
【０００７】
これらの異なったシステム双方を用いて、上述の無線ＬＡＮシステムと無線ＡＶ伝送システムが並列して利用される場合、図３７のような構成となる。ＰＣ１０１とＰＣ１１７は無線ＬＡＮカード１０８，１１８を介して無線ＬＡＮ通信を行い、ＡＶソースとなるビデオデッキ１２１のＡＶデータはＡＶデータ送信機１２８で送信され、ＡＶデータ受信機１３８で受信され、ＰＣ１１７のＡＶ入力部１３７に出力される。
【０００８】
又、特開２００１−２１７８５３号公報のように、Ｂｌｕｅｔｏｏｔｈ及びＩＥＥＥ８０２．１１のような異なる２つのプロトコルの非同期データを送受信できる通信装置が提案されている。この通信装置において、それぞれの非同期データに対して、同じ周波数帯を使用するが、異なる物理層を使用する。よって、物理層部分で共用できない部分はそれぞれ専用のものを使用し、物理層部分及びその他のバス等の共用部分は、共用して無線通信システムを構成するようなものが使用されている。
【０００９】
【発明が解決しようとする課題】
しかしながら、ＩＥＥＥ８０２．１１ｂを利用した通信システムでは、途切れることなく一定容量以上のデータを常時送信する必要のある無線ＡＶ通信システムを、安定して実現することは出来ない。更に、高画質のＡＶデータを送信するためには、６Ｍｂｐｓ程度の実伝送レートが必要であるが、ＩＥＥＥ８０２．１１ｂのＬＡＮ通信では最高通信レートである１１Ｍｂｐｓを使用したとしても、物理層などを省いたＡＶデータ自身に利用される実伝送レートは６Ｍｂｐｓよりも低くなるため、高画質ＡＶ伝送が実現できない。
【００１０】
一方、前述のＱｏＳを確保する技術を利用したデバイスであれば、６Ｍｂｐｓを越えるＡＶ伝送も可能であるが、ＩＥＥＥ８０２．１１ｂのように多数の機器と同時に通信可能な無線ＬＡＮシステムにおける機能を同時に有していない。よって、図３７のように、無線ＬＡＮシステムと無線ＡＶ伝送システムの両方を１台のＰＣやＡＶ機器で使用する場合は、これら２種の異なったシステム用のデバイスを双方とも備える必要があった。
【００１１】
このため、無線ＬＡＮシステムと無線ＡＶ伝送システムの両システムを利用する機器内には、デバイススペース、電力、アンテナ、接続コネクタなどがそれぞれのシステムに対して必要となるものもあり、機器本体に対する、コスト、重量、消費電力のそれぞれが増大するという問題があった。
【００１２】
又、図３８および図３９に、ＩＥＥＥ８０２．１１などの直接拡散方式を用いた通信システム及びＢｌｕｅｔｏｏｔｈなどの周波数ホッピング方式を用いた通信システムそれぞれの周波数使用帯域を示す。無線ＬＡＮシステムや無線ＡＶ伝送システムでは、図３８のように、２．４ＧＨｚの周波数帯を数チャンネルに分けて使用する。即ち、１１Ｍｂｐｓ（物理層）の通信を３チャンネル独立して同時に使用することができ、例えば、固定的に２チャンネルの無線ＬＡＮシステムと１チャンネルの無線ＡＶ伝送システムとを同時に使用するというように、無線ＬＡＮシステムと無線ＡＶ伝送システムとを併せて３チャンネルまで、完全に独立して使用できる。
【００１３】
それに対して、Ｂｌｕｅｔｏｏｔｈの場合、図３９のように、無線ＬＡＮシステムや無線ＡＶ伝送システムに利用される全てのチャンネルと重なる広い周波数帯をホッピングしながら使用する。よって、その使用周波数帯域が広くなり、Ｂｌｕｅｔｏｏｔｈを使用したとき、他の無線ＬＡＮシステムや無線ＡＶ伝送システムを利用した通信を妨害してしまうことになる。
【００１４】
よって、特開２００１−２１７８５３号公報で提供される通信装置において、Ｂｌｕｅｔｏｏｔｈを利用した通信に切り換えたとき、切り換える前まで共存可能であった近接した無線ＬＡＮシステム又は無線ＡＶ伝送システムを利用した他の通信ネットワークに影響を与え、それぞれの通信ネットワークが共存できない状態となる。
【００１５】
更に、特開２００１−２１７８５３号公報では、２種類の非同期データの通信を行う際に同じ周波数帯を使用するが、ＢｌｕｅｔｏｏｔｈとＩＥＥＥ８０２．１１のように異なる非同期転送プロトコル及び物理層を使用するため、それぞれ専用のデバイスを用意する必要がある。そのため、直接拡散方式を用いた無線ＬＡＮシステムと無線ＡＶ伝送システムとを利用する通信機器に比べて、その共用部分が少ない。
【００１６】
このような問題を鑑みて、本発明は、非同期データ信号の通信と同期データ信号の通信との切り換えを行うことができる、無線通信装置を提供することを目的とする。又、本発明の他の目的は、同期データ信号の通信を行う際に、ＱｏＳに対応した通信が行うことのできる無線通信装置を提供することである。
【００１７】
【課題を解決するための手段】
上記目的を達成するために、本発明の無線通信装置は、複数種類の無線通信システムによる通信を行う無線通信装置において、通信相手となる他の無線通信装置と前記データの送受信を行うアンテナと、非同期データのパケットを扱う第１無線通信システムに対する前記データの符号化処理及び復号化処理の少なくともいずれか一方のデータ処理を行う第１データ通信制御部と、同期データのパケットを扱う第２無線通信システムに対する前記データの符号化処理及び復号化処理の少なくともいずれか一方のデータ処理を行う第２データ通信制御部と、を備え、前記第１無線通信システムを利用するとき、前記第１無線通信システムに使用するチャンネル周波数を選択するとともに、前記アンテナと前記第１データ通信制御部とを接続し、前記第２無線通信システムを利用するとき、前記第２無線通信システムに使用するチャンネル周波数を選択するとともに、前記アンテナと前記第２データ通信制御部とを接続することを特徴とする。
【００１８】
このような無線通信装置において、前記複数のデータ通信制御部を、ＬＡＮデータなどの非同期データのパケットを扱うデータ処理を行う第１データ通信制御部と、ＡＶデータなどの同期データのパケットを扱うデータ処理を行う第２データ通信制御部と、によって構成するようにしても構わない。
【００１９】
このとき、無線通信装置が信号を送信する場合、第１及び第２データ通信制御部は、バスなどを介して外部から与えられるＬＡＮデータ及びＡＶデータを送信するためにパケットの生成を行う。又、無線通信装置が信号を受信する場合、第１及び第２データ通信制御部は、受信した信号より得られたパケットから元のＬＡＮデータ及びＡＶデータの生成を行う。又、第２データ通信制御部では、誤り訂正符号化及び誤り訂正復号化が行われるとともに、ＱｏＳを保証するために、再送要求信号処理が行われるようにしても構わない。
【００２０】
又、前記第２データ通信制御部が、更に、データの圧縮符号化及び伸長復号化の少なくともいずれか一方の処理を行うデータ処理部を備えるようにしても構わない。即ち、無線通信装置がＡＶデータを再生するＡＶ再生装置にデータを出力する場合、前記第２データ通信制御部において、受信したパケットからＡＶデータを生成した後、備えられたデータ処理部によって圧縮符号化方式に従って伸長復号化処理を行う。逆に、無線通信装置がＡＶソースからＡＶデータが与えられたときは、備えられたデータ処理部によって圧縮符号化方式に従って圧縮符号化処理を行った後に、パケットの生成を行う。
【００２１】
更に、前記データ処理部を並列的に複数備えるようにすることで、一度に複数のＡＶデータの圧縮符号化又は伸長復号化を行うことができるため、広い周波数帯域で複数のＡＶデータの送受信が行うことが可能となる。又、複数のデータ処理部それぞれを複数種類の圧縮符号化処理に対応させることによって、各種の圧縮符号化処理に応じたＡＶデータの送受信を行うことができる。
【００２２】
上述の無線通信装置において、前記非同期データに対する無線通信システム又は前記同期データに対する無線通信システムのいずれか一方のみによる通信を行うように、通信の切換を行うとともに、前記非同期データに対する無線通信システムによる通信を行うとき、前記第１データ通信制御部をＯＮとするとともに前記第２のデータ通信制御部をＯＦＦとし、前記同期データに対する無線通信システムによる通信を行うとき、前記第１のデータ通信制御部をＯＦＦとするとともに前記第２データ通信制御部をＯＮとする。
【００２３】
又、前記第１データ通信制御部とデータのやり取りを行う第１データバスと、前記第２データ通信制御部とデータのやり取りを行う第２データバスと、を有し、前記第１及び第２データバスによって、外部の電子機器とデータの入出力を行う。このとき、第１及び第２データバスを共通のバスとしても構わない。
【００２４】
又、前記第１データ通信制御部とデータのやり取りを行う第１データバスと、アナログデータの外部入力及び外部出力の少なくとも一方を行うアナログ端子と、前記第２データ通信制御部からのデジタルデータのＤ／Ａ変換及び前記アナログ端子からのアナログデータのＡ／Ｄ変換の少なくとも一方の変換処理を行うデータ変換部と、を有するようにしても構わない。即ち、ＡＶデータを受信するときは、第２データ通信制御部のデータ処理部で伸長復号化されたデジタルデータをＤ／Ａ変換した後、アナログデータとしてアナログ端子より出力し、又、ＡＶデータを送信するときは、アナログ端子より入力されたアナログデータであるＡＶデータをＡ／Ｄ変換した後、第２データ通信制御部に与えられる。
【００２５】
このとき、更に、前記第２データ通信制御部とデータのやり取りを行う第２データバスを設けて、前記第２データ通信制御部で処理されるデジタルデータの入出力を第２データバスより行うようにしても構わない。又、前記データバスと前記アナログ端子とを共通のコネクタで構成するようにしても構わないし、別の端子としても構わない。又、前記第１データバス及び前記第２データバスを共通のデータバスとしても構わない。
【００２６】
上述のようにデータバスが設けられるとき、前記非同期データに対する無線通信システムによる通信動作と前記同期データに対する無線通信システムによる通信動作との切り換えが、前記データバスを通じて外部より制御されるようにしても構わない。
【００２７】
又、前記非同期データに対する無線通信システムによる通信動作と前記同期データに対する無線通信システムによる通信動作との切り換えを行うための切換制御部を別に設けるようにしても構わない。このとき、前記切換制御部において、受信した信号が前記非同期データか又は前記同期データかを判定するとともに、該判定結果に基づいて、それぞれの無線通信システムによる通信動作を行うように切り換えるようにしても構わない。又、手動のスイッチなどによって切換制御部に信号が与えられて、切換動作が行われるようにしても構わない。
【００２８】
又、無線信号を送受信するアンテナと、該アンテナで所望のチャンネル周波数の無線信号を送受信するためにチャンネル周波数設定を行う無線アナログ部と、前記アンテナ及び前記無線アナログ部によって送信するデータの変調を行うとともに前記アンテナ及び前記無線アナログ部によって受信した無線信号の復調を行う変復調部と、を有し、前記変復調部が、前記第１データ通信制御部と接続された前記非同期データ用の第１変復調部と、前記第２データ通信制御部と接続された前記同期データ用の第２変復調部とによって構成されるようにしても構わない。
【００２９】
無線信号を送受信するアンテナと、該アンテナで所望のチャンネル周波数の無線信号を送受信するためにチャンネル周波数設定を行う無線アナログ部と、前記アンテナ及び前記無線アナログ部によって送信するデータの変調を行うとともに前記アンテナ及び前記無線アナログ部によって受信した無線信号の復調を行う変復調部と、を有し、前記無線アナログ部が、前記非同期データ用のチャンネル周波数設定を行う第１無線アナログ部と、前記同期データ用のチャンネル周波数設定を行う第２無線アナログ部とによって構成されるようにしても構わない。
【００３０】
又、無線信号を送受信するアンテナと、該アンテナで所望のチャンネル周波数の無線信号を送受信するためにチャンネル周波数設定を行う無線アナログ部と、前記アンテナ及び前記無線アナログ部によって送信するデータの変調を行うとともに前記アンテナ及び前記無線アナログ部によって受信した無線信号の復調を行う変復調部と、を有し、前記アンテナが、前記非同期データを受信する第１アンテナと、前記同期データを受信する第２アンテナとによって構成されるようにしても構わない。
【００３１】
上述のような各無線通信装置において、前記非同期データ信号に対する通信の要求がある場合は、現在前記非同期データ信号の通信中であるかを判定し、前記非同期データ信号の通信中であれば、そのまま通信を続行し、又、前記非同期データ信号の通信中でない場合は、前記同期データ信号の通信を行う状態となっているか否かを判定し、前記同期データ信号の通信を行う状態であれば前記第２データ通信制御部を停止させた後、前記非同期データ信号の通信を行う状態に切り換えるとともに、無線通信に使用するチャンネル周波数を非同期データ信号用の周波数に切り換えた後、前記第１データ通信制御部の動作を開始する。
【００３２】
又、前記同期データ信号に対する通信の要求がある場合は、現在前記同期データ信号の通信中であるかを判定し、前記同期データ信号の通信中であれば、そのまま通信を続行し、又、前記同期データ信号の通信中でない場合は、前記非同期データ信号の通信を行う状態となっているか否かを判定し、前記非同期データ信号の通信を行う状態であれば前記第１データ通信制御部を停止させた後、前記同期データ信号の通信を行う状態に切り換えるとともに、無線通信に使用するチャンネル周波数を同期データ信号用の周波数に切り換えた後、前記第２データ通信制御部の動作を開始する。
【００３３】
上述の各無線通信装置において、前記非同期データ信号の通信を行う際に使用するチャンネル周波数と、前記同期データ信号の通信を行う際に使用するチャンネル周波数とが異なるものとしても構わない。又、前記非同期データ信号の通信を行う際に使用するチャンネル周波数と、前記同期データ信号の通信を行う際に使用するチャンネル周波数とが同一であるものとしても構わない。
【００３４】
又、前記無線通信システムに使用する周波数帯を２．４ＧＨｚ帯としても構わないし、５ＧＨｚ帯としても構わない。又、複数のアンテナ又は無線アナログ部を有する場合、各アンテナ又は各無線アナログ部を異なる周波数帯又は周波数チャンネルを受信するためのものとしても構わない。
【００３５】
【発明の実施の形態】
＜第１の実施形態＞
本発明の第１の実施形態について、図面を参照して説明する。図１は、本実施形態の無線通信装置の内部構成を示すブロック図である。
【００３６】
図１に示す無線通信装置は、アンテナ１１と、直接拡散方式のスペクトラム拡散及び逆拡散を行う無線アナログ部１２と、信号の変調及び復調を行う変復調部１３と、非同期データ信号の信号処理を行うＬＡＮ通信制御部１４と、同期データ信号の信号処理を行うＡＶ通信制御部１５と、ＰＣなどに備えられたバスと接続されるバス制御部１６と、バス制御部１６によって接点ａ〜ｃの接続が切り換えられるスイッチＳＷとを有する。
【００３７】
図１の無線通信装置は、アンテナ１１で受信された信号は、無線アナログ部１２で所定チャンネルの信号が選局されて得られた後に逆拡散処理が行われ、変復調部１３で復調される。このとき、無線ＬＡＮシステムでの通信動作が行われる場合は、スイッチＳＷの接点ａが接続されて、変復調部１３がＬＡＮ通信制御部１４と接続される。そして、得られた信号が非同期データ信号であり、ＬＡＮ通信制御部１４においてＩＥＥＥ８０２．１１ｂプロトコルに従ってＭＡＣ（Media Access Control）層で規定される処理を行ってデータを得る。そして、バス制御部１６にデータが与えられ、接続されたバスを介してＰＣなどに送出される。
【００３８】
又、ＰＣなどからバスを介してバス制御部１６にＬＡＮのデータが与えられると、ＩＥＥＥ８０２．１１ｂプロトコルに従ってＭＡＣ層で規定される処理を行って、非同期データ信号を生成する。この非同期データ信号をパケット毎に、変復調部１３で変調した後、無線アナログ部１２で拡散処理を行って、アンテナ１１より送信する。
【００３９】
このような無線ＬＡＮシステムによる通信が行われるとき、データに誤り訂正符号などが付加されないため、受信側は、受信したパケット全体がエラ−であることを送信側に通知するのみである。この無線ＬＡＮシステムにおけるパケット例を図２に示す。送信側の無線通信装置では、ＬＡＮ通信制御部１４において、送信するデータを分割して得られたデータパケットであるデータ伝送部５１にヘッダ５２が付加されてデータパケット５０が生成される。このデータパケット５０が変復調部１３で変調された後、所定チャンネルの非同期データ信号として送信されるように、無線アナログ部１２においてスペクトラム拡散が施され、送信される。
【００４０】
このデータパケット５０が、受信側の無線通信装置で受信されると、無線アナログ部１２で逆拡散が施された後に変復調部１３で復調される。そして、ＬＡＮ通信制御部１４において、得られた非同期データ信号を復号化してデータ伝送部５１より元のデータが得られると、この得られたデータが正しいと判断された場合にのみ、ＬＡＮ通信制御部１４においてＡｃｋ部５４を生成してヘッダ５５を付加した応答データ用のデータパケット５３を生成する。又、受信されたデータは、バス制御部１６及びバスを介してＰＣに与えられる。
【００４１】
このデータパケット５３が変復調部１３、無線アナログ部１２、及びアンテナ１１を介して送信され、送信側の無線通信装置のアンテナ１１で受信された後、無線アナログ部１２及び変復調部１３を介して、ＬＡＮ通信制御部１４に与えられると、送信したデータが正常に受信されたことが確認される。よって、次のデータパケットが同様にして送信側の無線通信装置から送信される。
【００４２】
又、受信側の無線通信装置で受信されたデータに誤りがある場合には、Ａｃｋ部５４が生成されず応答データとなる非同期データ信号が送信されないので、送信側の無線通信装置では、所定時間の間、この応答データを受信することがない。よって、所定時間信号を受信しないとき、送信側の無線通信装置は、次のデータを送信せずに同じデータを送信する。
【００４３】
このように無線ＬＡＮシステムにおける通信が行われるとき、バス制御部１６によって、ＡＶ通信制御部１５がＯＦＦとされる。
【００４４】
又、無線ＡＶ伝送が行われるとき、チューナなどのＡＶソース装置からＡＶデータ信号を得る送信側の無線通信装置と、ＡＶ再生装置として利用されるＰＣにＡＶデータ信号を与える受信側の無線通信装置とによってシステムが構成される。このとき、図３のように、送信側から受信側へのパケット９０の送信時間及び受信側から送信側へのパケット９１の送信時間それぞれを管理することによって、ＱｏＳを確保している。
【００４５】
送信側の無線通信装置は、ＡＶソース装置からＡＶデータ信号がバス制御部１６を介して与えられると、ＡＶ通信制御部１５において規定された処理を行うことでパケット毎にデータ分割して同期データ信号を生成する。このとき、バス制御部１６によってスイッチＳＷの接点ｂが接続される。よって、ＡＶ通信制御部１５から送出される同期データ信号を変復調部１３で変調した後に、無線アナログ部１２でスペクトラム拡散処理を行い、アンテナ１１より送信する。
【００４６】
この送信側から受信側に送信する同期データ信号用のパケット９０は、ヘッダ９２、Ａｓｙｎｃデータ部９３、ＡＶデータ伝送部９４、ＡＶデータ再送部９５の各部に分かれており、所定単位数のパケット毎に、誤り訂正符号（不図示）が付加される。
【００４７】
このとき、送信側の無線通信装置におけるＡＶ通信制御部１５は、図４のように、ＡＶソース装置から与えられたＡＶデータを一定時間記憶するメモリ部５０１と、メモリ部５０１から読み出したＡＶデータに対して所定のデータ量毎に誤り訂正符号を付加する誤り訂正符号化処理部５０２と、誤り訂正符号化処理部５０２を通じて与えられるＡＶデータ伝送部９４やＡＶデータ再送部９５にヘッダ９２などを付加した後に多重化して変復調部１３に与える送信信号生成部５０３と、受信側の無線通信装置から送信されるＡＶデータ信号が受信された後に変復調部１３で復調されて得られたＡＶデータより再送要求通信部９７を確認する再送要求確認部５０４と、再送要求確認部５０４で得られた再送要求通信部９７より再送要求されたパケットを解析する再送要求パケット解析部５０５とを有する。
【００４８】
よって、誤り訂正符号化処理部分５０２に入力されたＡＶデータに対し、再送要求用のタグ情報を付加し、ＣＲＣやＲＳ符号などの誤り訂正符号の付加を行った後、送信信号生成部５０３において、ヘッダ９２の付加、データ多重化などを行って、同期データを生成すると、変復調部１３に送出する。そして、変復調部１３で変調した後、無線アナログ部１２で拡散処理を行って、アンテナ１１より同期データ信号を送信する。
【００４９】
そして、受信側の無線通信装置のアンテナ１１において、パケット９０による同期データ信号が受信されると、無線アナログ部１２で所定チャンネルの信号が選局されて得られると逆拡散処理が行われた後、変復調部１３で復調される。このとき、バス制御部１６によってスイッチＳＷの接点ｂが接続されるため、変復調部１３で復調された同期データ信号が、ＡＶ通信制御部１５において、パケット９０が解析処理されて、正常なＡＶデータが得られたか否かの確認が行われるとともに、得られたＡＶデータがバス制御部１６を介してＡＶ再生装置のデータ入力部に与えられる。
【００５０】
この受信側から送信側へのパケット９１は、ヘッダ９６、再送要求通信部９７、Ａｓｙｎｃデータ部９８の各部に分かれている。
【００５１】
このとき、受信側の無線通信装置におけるＡＶ通信制御部１５は、図５のように、変復調部１３より与えられた同期データのヘッダ９２を解析してＡＶデータ部分のみを後段に出力するデータ抽出部６０１と、データ抽出部６０１で抽出されたＡＶデータに対し誤り訂正復号化を行う誤り訂正復号化処理部６０２と、正しく復号化されたＡＶデータを記憶するメモリ部６０３と、訂正不能となったＡＶデータが与えられるデータ解析部６０４と、データ解析部６０４で認識された再送要求するＡＶデータに対する再送要求通信部９７を生成する再送要求データ生成部６０５と、再送要求通信部９７にヘッダ９６を付加した後に多重化して変復調部１３に与える再送要求パケット出力部６０６とを有する。
【００５２】
よって、誤り訂正復号化処理部６０２において、ＡＶデータ伝送部９４及びＡＶデータ再送部９５によるＡＶデータの内、正しく復号化されたＡＶデータをメモリ部６０３に送出するとともに、訂正不能となったＡＶデータをデータ解析部６０４に送出する。そして、メモリ部６０３から、正しく復号化されたＡＶデータがそのデータ送出時間にバス制御部１６に与えられて、ＡＶ再生装置に出力される。
【００５３】
又、データ解析部６０４では、誤り訂正復号化処理部６０２より与えられるＡＶデータによって、訂正不能となった部分を認識する。そして、データ解析部６０４で認識された部分のＡＶデータの再送要求を行うために、再送要求データ生成部６０５において、再送要求するＡＶデータの情報によって成る再送要求通信部９７が生成される。尚、訂正不能となったＡＶデータがない場合は正常に受信されたことを示す再送要求通信部９７が生成される。又、この再送要求データ生成部６０５において、ＣＲＣやＲＳ符号などの誤り訂正符号化処理を行うようにしても構わない。
【００５４】
そして、再送要求パケット出力部６０６において、再送要求データ生成部６０５で生成された再送要求通信部９７に基づいて再送要求パケット９１が生成されると、変復調部１３で変調された後、無線アナログ部１２で拡散処理が成されて、アンテナ１１より送信される。
【００５５】
又、送信側の無線通信装置において、この再送要求パケット９１による同期データ信号が受信されると、再送要求確認部５０４で再送要求パケット９１が確認された後、再送要求パケット解析部５０５で再送要求されたＡＶデータの解析を行い、解析結果に従ってメモリ部５０１から再送要求されたＡＶデータの読み出し制御を行う。
【００５６】
この再送要求されたＡＶデータが、誤り訂正符号化処理部５０２に送出された後、送信信号生成部５０３で生成されるとともに、パケットの９０の一部とされ、変復調部１３及び無線アナログ部１２及びアンテナ１１を介して送信される。尚、送信側の無線通信装置において、入力されるＡＶデータはそのデータが再送され得る時間まではメモリ部５０１で記憶されているが、この時間が経過するとそのデータは破棄される。
【００５７】
このようにして無線ＡＶ伝送システムによる通信が行われるとき、Ａｓｙｎｃデータ部９３，９８でリモコンデータ信号などの制御信号を送受信することができる。このように、送信側から送信されるパケット９０と受信側から送信されるパケット９１が交互に送受信されることで、双方向通信が行われる。
【００５８】
このように無線ＡＶ伝送システムにおける通信が行われるとき、バス制御部１６によって、ＬＡＮ通信制御部１４がＯＦＦとされるとともに、ＡＶ通信制部１５をＯＮとされる。又、送信側と受信側それぞれの無線通信装置におけるＡＶ通信制御部１５が図４及び図５のように構成されるものとしたが、送信側及び受信側それぞれの動作を簡単に示すために図示したものであり、送信側及び受信側のいずれも図４及び図５両方の構成を有するようにしても構わない。
【００５９】
更に、この無線ＡＶ伝送システムによる通信が行われるときの詳細なパケットの相互通信の例を図６に示す。パケットＰ１〜Ｐ８が、送信側の無線通信装置から受信側の無線通信装置に、パケットＡ１〜Ａ８が受信の無線通信装置から送信の無線通信装置に送信されている。このとき、パケットＰ１〜Ｐ８に対する応答信号となる再送要求パケットがそれぞれ、パケットＡ１〜Ａ８となる。又、パケットＰに含まれるＡＶデータは、それぞれ誤り訂正符号化された複数のＡＶデータブロックＢによって成る。
【００６０】
まず、ＡＶデータブロックＢ１１〜Ｂ１６によって成るパケットＰ１による同期データ信号が送信される。受信側では、ＡＶデータブロックＢ１１〜Ｂ１６全てが正しく受信されたため、正しく受信したことを示すパケットＡ１による同期データ信号を送信する。そして、送信側で受信側が正しく受信したことをパケットＡ１より認識すると、次に、ＡＶデータブロックＢ２１〜Ｂ２６によって成るパケットＰ２による同期データ信号を送信する。
【００６１】
そして、受信側でＡＶデータブロックＢ２３が訂正不能であることが確認されると、受信側は、ＡＶデータブロックＢ２３の再送要求通信部Ｒ２３を含むパケットＡ２による同期データ信号を送信する。このパケットＡ２による同期データ信号を受信した送信側の無線通信装置は、次のＡＶデータブロックＢ３１〜Ｂ３６に再送するＡＶデータブロックＢ２３を加えたパケットＰ３による同期データ信号を送信する。
【００６２】
よって、パケットＰ３を受信側の無線通信装置が受信すると、再送されたＡＶデータブロックＢ２３が、パケットＰ２を受信した時に得られたＡＶデータブロックＢ２２の後に再生するデータとしてメモリ部６０３に記憶される。尚、このとき、ＡＶデータブロックＢ２３，Ｂ３１〜Ｂ３６が正しく受信されたため、正しく受信されたことを示すパケットＡ３による同期データ信号が送信される。
【００６３】
そして、送信側の無線通信装置において、ＡＶデータブロックＢ４１〜Ｂ４６を含むパケットＰ４による同期データ信号が送信された後にパケットＡ４による同期データ信号が受信され、更に、ＡＶデータブロックＢ５１〜Ｂ５６を含むパケットＰ５による同期データ信号が送信される。そして、受信側の無線通信装置において、ＡＶデータブロックＢ５４，Ｂ５５が訂正不能であることが確認されると、ＡＶデータブロックＢ５４，Ｂ５５の再送要求通信部Ｒ５４，Ｒ５５を含むパケットＡ５による同期データ信号を送信する。
【００６４】
このパケットＡ５による同期データ信号を受信した送信側の無線通信装置は、次のＡＶデータブロックＢ６１〜Ｂ６５に再送するＡＶデータブロックＢ５４，Ｂ５５を加えたパケットＰ６による同期データ信号を送信する。尚、このとき、パケットＰは、最大７ブロックのＡＶデータブロックしか含むことができない。よって、本来、パケットＰ６には、ＡＶデータブロックＢ６１〜Ｂ６６が含まれるが、本例では、ＡＶデータブロックＢ５４，Ｂ５５の再送要求が成されるため、ＡＶデータブロックＢ６６がパケットＰ６に含まれない。
【００６５】
このようにして、パケットＰ６による同期データ信号が送信されると、受信側の無線通信装置において、ＡＶデータブロックＢ５４，Ｂ５５，Ｂ６１〜Ｂ６５全て正しく復号化され、ＡＶデータブロックＢ５４，Ｂ５５がＡＶデータブロックＢ５３に続いて再生されるデータブロックとしてメモリ部６０３に記録される。そして、パケットＡ６による同期データ信号が送信側の無線通信装置で受信されると、ＡＶデータブロックＢ６６，Ｂ７１〜Ｂ７６を含むパケットＰ７による同期データ信号が送信される。
【００６６】
このパケットＰ７内の全ＡＶデータブロックを正しく受信したことを示すパケットＡ７による同期データ信号が受信側の無線通信装置から送信されると、送信側の無線通信装置からＡＶデータブロックＢ８１〜Ｂ８６を含むパケットＰ８による同期データ信号が送信される。その後、このパケットＰ８内の全ＡＶデータブロックが正しく受信され、受信側の無線通信装置からパケットＡ８による同期データ信号が送信される。
【００６７】
このような伝送プロトコルを使用することにより、高効率でリアルタイムな再送を実現している。結果、ブロック単位で効率良く再送を行なうことで、無線通信環境が多少不安定な場でも全く途切れることのないＡＶ伝送が可能となっている。さらに、固定的なデータ通信領域のリモコン制御等に対するデータ送受信部があるため、この部分で、ＡＶ機器のリモコン操作情報などを送受信することができ、ＡＶ機器の遠隔操作を実現している。
【００６８】
このように無線ＬＡＮシステム及び無線ＡＶ伝送システムそれぞれにおける通信を行うことができる無線通信装置における、ＬＡＮ通信制御部１４とＡＶ通信制部１５の切換動作を以下に示す。図７は、図１の無線通信装置のＬＡＮ通信制御部１４とＡＶ通信制部１５の切換動作を示すフローチャートである。
【００６９】
バス制御部１６を通じて無線ＡＶ伝送システムによる通信が要求されたか否かの判定が行われる（ＳＴＥＰ１）。このとき、無線ＡＶ伝送システムによる通信の要求がある場合（Ｙｅｓ）、ＡＶ通信制御部１５をＯＮとしているか否かが判定される（ＳＴＥＰ２１）。そして、ＡＶ通信制御部１５がＯＮで無線ＡＶ伝送システムによる通信が行われているとき（Ｙｅｓ）、切換動作を終了する。逆に、ＡＶ通信制御部１５がＯＦＦである場合（Ｎｏ）、無線ＬＡＮシステムによる通信が行われているか否かを判定する（ＳＴＥＰ２２）。
【００７０】
その結果、無線ＬＡＮシステムによる通信が行われている場合（Ｙｅｓ）、ＬＡＮ通信制御部１４をＯＦＦとする（ＳＴＥＰ２３）。このとき、ＬＡＮ通信制御部１４において、無線ＬＡＮシステムによる通信で使用していたチャンネル周波数が記憶される。このようにＳＴＥＰ２３でＬＡＮ通信制御部１４をＯＦＦにしたとき、又は、ＳＴＥＰ２２で無線ＬＡＮシステムによる通信が行われていなかったとき（Ｎｏ）、無線ＡＶ伝送システムによる通信が行われるように、スイッチＳＷの接点ｂに接続を切り換える（ＳＴＥＰ２４）。
【００７１】
このとき、スイッチＳＷによって、変復調部１３とＡＶ通信制御部１５とが接続されるとともに、バス制御部１６によって、ＡＶ通信制御部１５とバス制御部１６とが接続される。そして、使用するチャンネル周波数をＡＶ通信制御部１５に記憶されていたチャンネル周波数に切り換えた後（ＳＴＥＰ２５）、ＡＶ通信制御部１５をＯＮとして（ＳＴＥＰ２６）、切換動作を終了する。
【００７２】
又、ＳＴＥＰ１において、無線ＡＶ伝送システムによる通信の要求がない場合（Ｎｏ）、無線ＬＡＮシステムによる通信が要求されたか否かが確認される（ＳＴＥＰ２）。このとき、無線ＬＡＮシステムによる通信の要求がある場合（Ｙｅｓ）、ＬＡＮ通信制御部１４をＯＮとしているか否かが判定される（ＳＴＥＰ１１）。そして、ＬＡＮ通信制御部１４がＯＮで無線ＬＡＮシステムによる通信が行われているとき（Ｙｅｓ）、切換動作を終了する。逆に、ＬＡＮ通信制御部１４がＯＦＦである場合（Ｎｏ）、無線ＡＶ伝送システムによる通信が行われているか否かを判定する（ＳＴＥＰ１２）。
【００７３】
その結果、無線ＡＶ伝送システムによる通信が行われている場合（Ｙｅｓ）、ＡＶ通信制御部１５をＯＦＦとする（ＳＴＥＰ１３）。このとき、ＡＶ通信制御部１５において、無線ＡＶ伝送システムによる通信で使用していたチャンネル周波数が記憶される。このようにＳＴＥＰ１３でＡＶ通信制御部１５をＯＦＦにしたとき、又は、ＳＴＥＰ１２で無線ＡＶ伝送システムによる通信が行われていなかったとき（Ｎｏ）、無線ＬＡＮシステムによる通信が行われるように、スイッチＳＷの接点ａに接続を切り換える（ＳＴＥＰ１４）。
【００７４】
このとき、スイッチＳＷによって、変復調部１３とＬＡＮ通信制御部１４とが接続されるとともに、バス制御部１６によって、ＬＡＮ通信制御部１４とバス制御部１６とが接続される。そして、使用するチャンネル周波数をＬＡＮ通信制御部１４に記憶されていたチャンネル周波数に切り換えた後（ＳＴＥＰ１５）、ＬＡＮ通信制御部１４をＯＮとして（ＳＴＥＰ１６）、切換動作を終了する。
【００７５】
更に、ＳＴＥＰ２において、無線ＬＡＮシステムによる通信の要求がない場合（Ｎｏ）、無線ＬＡＮシステムによる通信動作中であるかが確認され（ＳＴＥＰ３）、動作中であれば（Ｙｅｓ）、無線ＬＡＮシステムによる通信動作を停止し（ＳＴＥＰ４）、切換動作を終了する。このとき、ＳＴＥＰ２３と同様、ＬＡＮ通信制御部１４において、無線ＬＡＮシステムによる通信で使用していたチャンネル周波数が記憶される。
【００７６】
ＳＴＥＰ２で無線ＬＡＮシステムによる通信が行われていないと判断されると（Ｎｏ）、無線ＡＶ伝送システムによる通信動作中であるかが確認され（ＳＴＥＰ５）、動作中であれば（Ｙｅｓ）、無線ＡＶ伝送システムによる通信動作を停止し（ＳＴＥＰ６）、切換動作を終了する。このとき、ＳＴＥＰ１３と同様、ＡＶ通信制御部１５において、無線ＡＶ伝送システムによる通信で使用していたチャンネル周波数が記憶される。
【００７７】
尚、ＳＴＥＰ４及びＳＴＥＰ６において通信動作を停止するとき、無線ＬＡＮシステム及び無線ＡＶ伝送システムのいずれの通信動作も行われないため、スイッチＳＷの接続を接点ｃに切り換えるとともに、無線アナログ部１２、変復調部１３も同時に停止させればよい。このとき、完全に電源を切断するようにしても構わないし、最低限の状態を保持したスリープ状態としても構わない。
【００７８】
又、本実施形態において、無線ＬＡＮシステムで使用されるチャンネル周波数と、無線ＡＶ伝送システムで使用されるチャンネル周波数が異なるものとしたが、無線無線ＬＡＮシステム及び無線ＡＶ伝送システムの双方において、同一のチャンネル周波数が使用される場合は、そのチャンネル周波数を切り換える必要がない。
【００７９】
このような無線ＬＡＮシステム及び無線ＡＶ伝送システムそれぞれの通信を行うことのできる無線通信装置を用いて、無線ＬＡＮシステム及び無線ＡＶ伝送システムの両システム環境を構築したときの動作の概略を、以下に説明する。
【００８０】
図８のように、図１の無線通信装置が無線カード１４３であり、無線カード１４３は、バス制御部１６に接続されたカードバスコネクタ１４４がＰＣ１４０のＰＣカードバス１４１と接続されることで、ＰＣ１４０から給電されて動作する。更に、無線カード１４３は、ＰＣ１４０の内部回路１４２に内蔵されたソフトウェアによって制御される。尚、無線カード１４３の給電や制御がＰＣ１４０側にあることは現状のＰＣでは標準的なことであるため、詳細は記載しない。
【００８１】
図８のようにして無線カード１４３が接続されたＰＣ１４０は、図９のように、図３５のようなＬＡＮカード１０８が接続されたＰＣ１０１と無線ＬＡＮシステムによる通信環境を構築するとともに、図３６のようなＡＶデータ送信機１２８が接続されたＡＶソース側のＡＶ機器１２１と無線ＡＶ伝送システムを構築する。
【００８２】
そして、この無線カード１４３において、ＰＣ１０１とＰＣ１４０とが無線ＬＡＮシステムによる通信を行う場合は、ＬＡＮ通信制御部１４が動作し、又、ＡＶ機器１２１からのＡＶデータをＰＣ１４０が再生表示するような無線ＡＶ伝送システムによる通信を行う場合は、ＡＶ通信制御部１５が動作する。このようにすることで１枚の無線カード１４３で、ＰＣ１４０によるＬＡＮ通信とＡＶ視聴の両方が可能となる。
【００８３】
尚、図９のような通信環境において、本実施形態の無線通信装置を無線ＡＶ伝送システムで利用したとき、ＡＶデータを再生するＰＣ１４０に接続された無線カード１４３として用いられるため、本例においては、無線通信装置のＡＶ通信制御部の内部構成が、図５のみの構成であっても構わない。又、逆に、ＡＶソースとなるＡＶ機器に本実施形態の無線通信装置が接続されるようにしても構わない。このとき、無線通信装置のＡＶ通信制御部の内部構成が、図４のみの構成であっても構わない。
【００８４】
尚、本実施形態において、図１のように、スイッチＳＷによって、ＬＡＮ通信制御部１４とＡＶ通信制御部１５を切り換える構成としたが、無線を構成するチップセットの形体等により、ＬＡＮ通信制御部と変復調部が一体とされる場合がある。この場合、図１０のように、ＬＡＮ用の変復調部１３ａ及びＬＡＮ通信制御部１４と、ＡＶ用の変復調部１３ｂ及びＡＶ通信制御部１５とが、無線アナログ部１２と変復調部１３ａ，１３ｂとの間の接続を切り換えるスイッチＳＷによって切り換えられる。
【００８５】
又、ＬＡＮ通信制御部と一体化されるものには、無線アナログ部も含める場合もある。この場合は、図１１のように、ＬＡＮ用の無線アナログ部１２ａ及びＬＡＮ用の変復調部１３ａ及びＬＡＮ通信制御部１４と、ＡＶ用の無線アナログ部１２ｂ及びＡＶ用の変復調部１３ｂ及びＡＶ通信制御部１５とが、アンテナ１１と無線アナログ部１２ａ，１２ｂとの間の接続を切り換えるスイッチＳＷによって切り換えられる。
【００８６】
搬送周波数は、本実施形態のようにＬＡＮ通信制御部としてＩＥＥＥ８０２．１１ｂに応じたものを使用する場合、２．４ＧＨｚとなるが、２．４ＧＨｚ帯の電波は５ＧＨｚ帯に比べてより遠くまで電波が届き、屋外でも使用できるなどの特徴をもつ。尚、使用する周波数および変調方式は、本発明を規定するものではなく、どの周波数帯および変調方式を組み合わせて使っても良い。
【００８７】
本実施形態のように、同一の動作を行う部分を共通とするとともに、動作する必要のない部分は停止させることで、電力消費を抑えた通信切換システムが実現できる。又、無線通信装置のアンテナから送信するデータをバス制御部にて判定し、ＬＡＮ通信制御部及びＡＶ通信制御部のいずれの制御部にデータを伝えるかの切り換えをすることによって、送信時にも自動判断することが可能である。
【００８８】
＜第２の実施形態＞
本発明の第２の実施形態について、図面を参照して説明する。図１２は、本実施形態の無線通信装置の内部構成を示すブロック図である。図１２の無線通信装置において、図１の無線通信装置と同一の部分については同一の符号を付して、その詳細な説明は省略する。
【００８９】
図１２の無線通信装置は、アンテナ１１と、無線アナログ部１２と、変復調部１３と、ＬＡＮ通信制御部１４と、ＡＶ通信制御部１５と、スイッチＳＷと、データバス１６ａと、無線ＬＡＮシステムと無線ＡＶ伝送システムとの切換を設定する切換制御部１７とを有する。
【００９０】
この無線通信装置において、切換制御部１７によって無線ＬＡＮシステムによる通信を行うように指示されると、第１の実施形態と同様、スイッチＳＷの接点ａが接続されるとともに、ＬＡＮ通信制御部１４がＯＮとされる。このとき、ＡＶ通信制御部１５がＯＦＦとされる。更に、データバス１６ａについてもＬＡＮ通信制御部１４とデータのやり取りを行うように、切換制御部１７によって制御される。
【００９１】
又、切換制御部１７によって無線ＡＶ伝送システムによる通信を行うように指示されると、スイッチＳＷの接点ｂが接続されるとともに、ＬＡＮ通信制御部１４がＯＦＦとされ、又、ＡＶ通信制御部１５がＯＮとされる。更に、データバス１６ａがＡＶ通信制御部１５とデータのやり取りを行うように、切換制御部１７によって制御される。
【００９２】
更に、無線ＬＡＮシステム及び無線ＡＶ伝送システムそれぞれによる通信が行われないときは、切換制御部１７によってスイッチＳＷの接点ｃが接続されるように制御されるとともに、無線アナログ部１２、変復調部１３、ＬＡＮ通信制御部１４、及びＡＶ通信制御部１５を同時に停止させればよい。このとき、完全に電源を切断するようにしても構わないし、最低限の状態を保持したスリープ状態としても構わない。
【００９３】
このように動作する図１２の無線通信装置において、切換制御部１７を、使用するシステムを決定するための手動スイッチとしても構わない。
【００９４】
又、図１３のように、切換制御部１７の代わりに、受信データ判定部１７ａが用いられるようにしても構わない。この受信データ判定部１７ａにおいて、変復調部１３で復調されて得られたデータ内のパケットを解析することによって、無線ＬＡＮシステム又は無線ＡＶ伝送システムのいずれによる通信が行われているかが判断される。このとき、受信されたデータのヘッダ部分などに記録された宛先やデータの種類や受信したデータのパケットの長さなどを元に、ＬＡＮ用のデータであるか、ＡＶデータであるかの判定をすることができる。
【００９５】
このように、受信データ判定部１７ａで判定されると、その判定結果に従って、図１２の無線通信装置と同様のスイッチＳＷの切換制御及び各ブロック１１〜１５，１６ａの動作制御が行われる。尚、このとき、受信データ判定部１７ａで所定時間データの受信が確認されなかったとき、無線ＬＡＮシステム又は無線ＡＶ伝送システムのいずれの通信も行われていないものと判断される。
【００９６】
尚、本実施形態において、第１の実施形態と同様に、図１２又は図１３において共通のブロックとしている部分を、図１０又は図１１の無線通信装置のように、無線ＬＡＮシステム用と無線ＡＶ伝送システム用とで別体のものとしても構わない。
【００９７】
本実施形態によると、無線通信装置に無線ＬＡＮシステム及び無線ＡＶ伝送システムそれぞれによる通信の切り換えを行うための制御部が設けられるため、第１の実施形態のように、通信の切り換えを行うためのソフトウェアを備えたＰＣなどの電子機器以外の機器にも接続することが可能となる。
【００９８】
＜第３の実施形態＞
本発明の第３の実施形態について、図面を参照して説明する。図１４は、本実施形態の無線通信装置の内部構成を示すブロック図である。図１４の無線通信装置において、図１の無線通信装置と同一の部分については同一の符号を付して、その詳細な説明は省略する。
【００９９】
図１４の無線通信装置は、アンテナ１１と、無線アナログ部１２と、変復調部１３と、ＬＡＮ通信制御部１４と、ＡＶ通信制御部１５と、変復調部１３とＬＡＮ通信制御部１４との間の接離を行うスイッチＳＷａと、変復調部１３とＡＶ通信制御部１５との間の接離を行うスイッチＳＷｂと、無線ＬＡＮシステムによる通信が行われる際に使用するデータバス制御部１６ｂと、無線ＡＶ伝送システムによる通信が行われる際に使用するＡＶバス制御部１６ｃとを有する。この無線通信装置において、スイッチＳＷａがデータバス制御部１６ｂによって切換制御されるとともに、スイッチＳＷｂがＡＶバス制御部１６ｃによって切換制御される。
【０１００】
このとき、無線ＬＡＮシステムによる通信が行われる場合、無線通信装置が接続されたＰＣなどの電子機器に備えられたソフトウェアによってデータバス制御部１６ｂ及びＡＶバス制御部１６ｃに制御信号が与えられる。よって、データバス制御部１６ｂによってスイッチＳＷａ及びＬＡＮ通信制御部１４がＯＮとされるとともに、ＡＶバス制御部１６ｃによってスイッチＳＷｂ及びＡＶ通信制御部１５がＯＦＦとされる。
【０１０１】
又、無線ＡＶ伝送システムによる通信が行われる場合、同様に、電子機器に備えられたソフトウェアによってデータバス制御部１６ｂ及びＡＶバス制御部１６ｃに制御信号が与えられ、データバス制御部１６ｂによってスイッチＳＷａ及びＬＡＮ通信制御部１４がＯＦＦとされるとともに、ＡＶバス制御部１６ｃによってスイッチＳＷｂ及びＡＶ通信制御部１５がＯＮとされる。
【０１０２】
更に、無線ＬＡＮシステム及び無線ＡＶ伝送システムそれぞれによる通信が行われない場合、同様に、電子機器に備えられたソフトウェアによってデータバス制御部１６ｂ及びＡＶバス制御部１６ｃに制御信号が与えられ、データバス制御部１６ｂによってスイッチＳＷａ及びＬＡＮ通信制御部１４がＯＦＦとされるとともに、ＡＶバス制御部１６ｃによってスイッチＳＷｂ及びＡＶ通信制御部１５がＯＦＦとされる。そして、第１の実施形態と同様、無線アナログ部１２及び変復調部１３も同時に停止させればよい。このとき、完全に電源を切断するようにしても構わないし、最低限の状態を保持したスリープ状態としても構わない。
【０１０３】
又、本実施形態において、第１の実施形態における図１０の無線通信装置のように、変復調部についても、無線ＬＡＮシステム用と無線ＡＶ伝送システム用とで別体のものとなるようにしても構わない。
【０１０４】
＜第４の実施形態＞
本発明の第４の実施形態について、図面を参照して説明する。図１５は、本実施形態の無線通信装置の内部構成を示すブロック図である。図１５の無線通信装置において、図１の無線通信装置と同一の部分については同一の符号を付して、その詳細な説明は省略する。
【０１０５】
図１５の無線通信装置は、図１の無線通信装置に対して、ＡＶ通信制御部１５とバス制御部１６との間にデコード部１８を付加した構成となる。このデコード部１８では、ＡＶ通信制御部１５で得られたＭＰＥＧ（Moving Picture Experts Group）２方式などで圧縮符号化されたＡＶデータのデータ伸長を行う。このようにデータ伸長されて得られたデジタルデータであるＡＶデータがバス制御部１６を介して、無線通信装置が接続されたＰＣなどの電子機器に出力される。
【０１０６】
尚、本実施形態において、無線ＡＶ伝送システムによる通信を行うときのみ、デコード部１８をＯＮとすること以外、第１の実施形態と同様の動作を行うため、その動作の説明については省略する。又、本実施形態の場合、デコード部１８が付加されているため、無線ＡＶ伝送システムによる通信が行われる場合、同期データ信号の受信装置として動作する。よって、ＡＶ通信制御部１５の構成を図５のみの構成としても構わない。
【０１０７】
又、本実施形態において、デコード部１８を、図１６のように複数のデコード部１８-1〜１８-nとしても構わない。例えば、ＩＥＥＥ８０２．１１ａやＩＥＥＥ８０２．１１ｅ等の規格によると、使用周波数帯域が広がり、３０Ｍｂｐｓ以上のデータの通信が可能となるため、６〜１１ＭｂｐｓのＡＶデータを複数本同時に送信することが可能となる。
【０１０８】
このように、ＡＶデータによる同期データ信号が複数同時に同じチャンネル周波数によって送信されてくる場合、複数のデコード部が必要となる。よって、図１６のように複数のデコード部１８-1〜１８-nを備えることで、ＡＶデータが複数同時に送信されてくる場合でも復号化が可能となる。又、受信したＡＶデータを送信するＡＶソースによって圧縮方式が異なる場合においても、デコード部１８-1〜１８-nが、それぞれの圧縮方式に応じたデコード部として構成することで、対応することができる。
【０１０９】
尚、本実施形態において、無線ＡＶ伝送システムで受信装置として動作するものとしたが、ＡＶソースとなる電子機器に接続される送信装置として動作する場合、図１７又は図１８のように、デコード部の代わりにエンコード部１８ａ又はエンコード部１８ａ-1〜１８ａ-nが設けられる。又、このとき、ＡＶ通信制御部１５の構成を図４のみの構成としても構わない。
【０１１０】
又、図１９又は図２０のように、デコード部の代わりにデコード・エンコード部１８ｂ又はデコード・エンコード部１８ｂ-1〜１８ｂ-nを設けて、無線ＡＶ伝送システムにおいて、送信装置及び受信装置のいずれでも利用可能となるようにしても構わない。このとき、ＡＶ通信制御部１５は図４及び図５の両方の構成を有するものとされる。
【０１１１】
又、第２の実施形態のように、バス制御部１６をデータバス１６ａとし、切換制御部や受信データ判定部などを設けて、接続された電子機器からでなく、無線通信装置自身でシステムの切り換えを行えるようにしても構わない。更に、本実施形態において共通のブロックとしている部分を、図１０又は図１１の無線通信装置のように、無線ＬＡＮシステム用と無線ＡＶ伝送システム用とで別体のものとしても構わない。
【０１１２】
＜第５の実施形態＞
本発明の第５の実施形態について、図面を参照して説明する。図２１は、本実施形態の無線通信装置の内部構成を示すブロック図である。図２１の無線通信装置において、図１２の無線通信装置と同一の部分については同一の符号を付して、その詳細な説明は省略する。
【０１１３】
図２１の無線通信装置は、図１の無線通信装置に設けられたバス制御部１６に代わり、ＬＡＮ通信制御部１４と接続されたＬＡＮ用のデータバス１６ｄと、ＡＶ通信制御部１５と接続されたＡＶ用のＡＶバス１６ｅが設けられるとともに、ＬＡＮ通信制御部１４とデータバス１６ｄとの接続及びＡＶ通信制御部１５とＡＶバス１６ｅとの接続が切換制御部１７によって制御される。
【０１１４】
図２１に無線通信装置は、無線ＬＡＮシステムによる通信を行う際にデータバス１６ｄからデータが出力されるように、又、無線ＡＶ伝送システムによる通信を行う際にＡＶバス１６ｅからデータが出力されるように、切換制御部１７がデータバス１６ｄ及びＡＶバス１６ｅを制御する。この制御動作以外、第２の実施形態と同様の動作を行うため、本実施形態の無線通信装置の動作について、詳細な説明は省略する。
【０１１５】
このようにすることで、例えば、ＡＶバス１６ｅがＩＥＥＥ１３９４バスなどである場合は、ＡＶバス１６ｅからは無線で受信したＡＶデジタル信号を出力し、データバス１６ｄからはＬＡＮでのデータのやりとりを行えばよい。このデータバス１６ｅは、ＵＳＢ（Universal Serial Bus）であってもＰＣＩ（Peripheral Component Interconnect）バスであってもデータ通信が可能なものであればいずれでもよい。
【０１１６】
又、図２２ように、図２１の無線通信装置が無線カード１６０であるものとする。この無線カード１６０は、ＬＡＮ用のデータの入出力が行われるデータバス１６１と、ＡＶデータの入出力が行われるＡＶバス１６２とが同一面に配置される。このような無線カード１６０をＰＣなどのカードバスコネクタに挿入して接続することで、データバス１６１及びＡＶバス１６２の両端子が同時に接続できる。このとき、データバス１６１及びＡＶバス１６２が、図２１のデータバス１６ｄとＡＶバス１６ｅに対応する。
【０１１７】
尚、第３の実施形態及び第５の実施形態において、第４の実施形態の無線通信装置のように、ＡＶ通信制御部の後段にデコード部、エンコード部、又はデコード・エンコード部のいずれかが設けられるようにしても構わない。
【０１１８】
＜第６の実施形態＞
本発明の第６の実施形態について、図面を参照して説明する。図２３は、本実施形態の無線通信装置の内部構成を示すブロック図である。図２３の無線通信装置において、図２１の無線通信装置と同一の部分については同一の符号を付して、その詳細な説明は省略する。
【０１１９】
図２３の無線通信装置は、図２１の無線通信装置に対して、ＡＶ通信制御部１５の後段に接続されたデコード部１８と、デコード部１８の後段に接続されたＤ／Ａ変換部１９とが付加されるとともに、ＡＶバス１６ｅに代わりＤ／Ａ変換部１９の後段に接続されたＡＶアナログ端子１６ｆが設けられる。尚、デコード部１８は、第４の実施形態のデコード部と同様の動作を行うものとする。
【０１２０】
図２３の無線通信装置は、切換制御部１７が、無線ＬＡＮシステムによる通信を行う際にＬＡＮ通信制御部１４からのデータがデータバス１６ｄより出力されるように制御するとともに、無線ＡＶ伝送システムによる通信を行う際にＡＶ通信制御部１５からのデータがデコード部１８で復号化された後にＤ／Ａ変換部１９でアナログ信号に変換されてＡＶアナログ端子１６ｆから出力されるように制御する。この制御動作以外、第５の実施形態と同様の動作を行うため、本実施形態の無線通信装置の動作について、詳細な説明は省略する。
【０１２１】
このようにすることで、無線ＡＶ伝送システムによる通信が行われているとき、ＡＶ通信制御部１５の出力が、デコード部１８でデータ伸長された後、Ｄ／Ａ変換部１９でアナログデータに変換されるため、ＡＶアナログ端子１６ｆよりアナログ信号となるＡＶデータが出力される。よって、ＡＶアナログ端子１６ｆによって、通常のアナログＡＶ機器に接続可能となる。
【０１２２】
即ち、図２４のように、図２３の無線通信装置がデータバス１５３を有する無線カード１５２としたとき、アナログＡＶ機器１５５に設けられたＡＶアナログ入力端子１５６にケーブル１５７を介して接続されるＡＶアナログ出力端子１５４が無線カード１５２に設けられる。このとき、データバス１５３及びＡＶアナログ出力端子１５４が、図２３のデータバス１６ｄとＡＶアナログ端子１６ｆに対応する。
【０１２３】
尚、第５の実施形態と同様、図２２に示すような無線カード１６０とし、ＡＶバス１６２がアナログ端子１６ｆに対応した構成となるようにしても構わない。又、本実施形態において、図２３のように、デコード部１８とＤ／Ａ変換部１９が設けられるような構成としたが、図２５のように、デコード部１８とＤ／Ａ変換部１９の代わりに、エンコード部１８ａとＡ／Ｄ変換部１９ａが設けられるようにしても構わないし、図２６のように、デコード・エンコード部１８ｂとＤ／Ａ・Ａ／Ｄ変換部１９ｂが設けられるようにしても構わない。
【０１２４】
＜第７の実施形態＞
本発明の第７の実施形態について、図面を参照して説明する。図２７は、本実施形態の無線通信装置の内部構成を示すブロック図である。図２７の無線通信装置において、図２３の無線通信装置と同一の部分については同一の符号を付して、その詳細な説明は省略する。
【０１２５】
図２７の無線通信装置は、図２３の無線通信装置に対して、データバス１６ｄに代わり、ＬＡＮ通信制御部１４及びデコード部１８と接続されたバス制御部１６を有する。即ち、本実施形態の無線通信装置は、第４の実施形態における無線通信装置の構成と第６の実施形態における無線通信装置の構成とを組み合わせた構成となる。
【０１２６】
よって、無線ＡＶ伝送システムによる通信が行われたとき、デジタルデータとなるＡＶデータをバス制御部１６より出力することができるとともに、又、アナログデータとなるＡＶデータをＡＶアナログ端子１６ｆより出力することができる。このとき、デコード部１８から与えられるデジタルデータとなるＡＶデータの出力がバス制御部１６によって制御されるとともに、Ｄ／Ａ変換部１９の動作が切換制御部１７によって制御されることで、バス制御部１６及びＡＶアナログ端子１６ｆそれぞれからのＡＶデータの出力が制御される。
【０１２７】
即ち、バス制御部１６及びＡＶアナログ端子１６ｆの両方から出力可能であるとともに、バス制御部１６又はＡＶアナログ端子１６ｆのいずれか一方からの出力選択も可能である。よって、ＡＶデータをアナログデータ又はデジタルデータとして出力するか選択することができるとともに、アナログデータ及びデジタルデータを同時に出力することが可能となる。
【０１２８】
又、図２８のように、図２１の無線通信装置がＰＣ１４５に接続された場合、無線通信装置のバス制御部１６に接続されたバスコネクタ１４９がＰＣ１４５のＰＣバス１４６と接続される。よって、図８の場合と同様に、無線通信装置はＰＣ１４５より給電されて動作することができるとともに、バス制御部１６の出力するデータの切り換えは、ＰＣ１４５の内部回路１４２に内蔵されたソフトウェアによって制御される。更に、ＡＶアナログ端子１６ｆがケーブル１４８を通じてディスプレイ１５０のアナログ入力端子１４７に接続される。
【０１２９】
このように接続することによって、ディスプレイ１５０に直接アナログデータとなるＡＶデータを出力することができるので、ＡＶ視聴時にＰＣ１４５内に与えられるデータを最小限に抑えることができる。よって、ＰＣ１４５の負荷を軽減できる。
【０１３０】
尚、第５の実施形態と同様、図２２に示すような無線カード１６０とし、データバス１６１がバス制御部１６に対応するとともにＡＶバス１６２がアナログ端子１６ｆに対応した構成となるようにしても構わない。又、第６の実施形態と同様、図２４に示すような無線カード１５２とし、データバス１５３がバス制御部１６に対応した構成となるようにしても構わない。
【０１３１】
又、本実施形態において、図２７のように、デコード部１８とＤ／Ａ変換部１９が設けられるような構成としたが、図２９のように、デコード部１８とＤ／Ａ変換部１９の代わりに、エンコード部１８ａとＡ／Ｄ変換部１９ａが設けられるようにしても構わないし、図３０のように、デコード・エンコード部１８ｂとＤ／Ａ・Ａ／Ｄ変換部１９ｂが設けられるようにしても構わない。
【０１３２】
更に、第５〜第７の実施形態において、第１の実施形態における図１０の無線通信装置のように、変復調部についても、無線ＬＡＮシステム用と無線ＡＶ伝送システム用とで別体のものとなるようにしても構わない。
【０１３３】
＜第８の実施形態＞
本発明の第８の実施形態について、図面を参照して説明する。図３１は、本実施形態の無線通信装置の内部構成を示すブロック図である。図３１の無線通信装置において、図１の無線通信装置と同一の部分については同一の符号を付して、その詳細な説明は省略する。
【０１３４】
図３１の無線通信装置は、図１の無線通信装置が備えるアンテナ１１と無線アナログ部１２の代わりに、アンテナ１１ａ，１１ｂと無線アナログ部１２ａ，１２ｂと変復調部１３に接続される無線アナログ部１２ａ，１２ｂの切換を行うスイッチＳＷｃとが設けられる。このように、本実施形態の無線通信装置は、複数のアンテナと無線アナログ部とを複数持つ。
【０１３５】
図３１のような構成にすることで、無線アナログ部１２ａとアンテナ１１ａで２．４ＧＨｚ帯の信号を送受信し、無線アナログ部１２ｂとアンテナ１１ｂで５ＧＨｚ帯の信号を送受信することが可能になる。これにより、無線ＬＡＮシステムで使用する周波数帯と無線ＡＶ伝送システムで使用する周波数帯とを異なるものとしたとき、バス制御部１６でスイッチＳＷｃを切り換えることで、無線アナログ部１２ａ，１２ｂのいずれかを変復調部１３に接続させることができる。
【０１３６】
尚、本文では２．４ＧＨｚ帯と５ＧＨｚ帯という例を挙げたが、この周波数帯に限るものではない。又、アンテナ１１ａ，１１ｂそれぞれを、無線ＬＡＮシステム用のアンテナ及び無線ＡＶ伝送システム用のアンテナとして、指向性を持たせるようにすれば、受信感度を上昇させることできる。
【０１３７】
このように、アンテナ１１ａ，１１ｂに指向性を持たせることにより、図３２のように、アンテナ１１ａ，１１ｂとするとともに、無線アナログ部１２を共通とすることができる。このとき、アンテナ１１ａ，１１ｂと無線アナログ部１２との接続を切り換えるためのスイッチＳＷｄを設け、バス制御部１６でスイッチＳＷｄの接点を切り換えることでアンテナ１１ａ，１１ｂとの接続を切り換えることができる。又、このとき、周波数帯はアンテナ１１ａ，１１ｂで受信する信号が同じ周波数帯の信号としても構わない。
【０１３８】
＜無線通信装置の第１の使用例＞
本例では、ＡＶデータが同時に複数のＰＣで受信されるものとする。図３３の通信環境において、ＬＡＮカード１０８が接続されたＰＣ１０１は無線ＬＡＮシステムのアクセスポイントとなるとともに、ＡＶソース側のＡＶ機器１２１にＡＶデータ送信機１２８が接続される。又、ＬＡＮカード１０８又はＡＶデータ送信機１２８と通信を行う無線カード１４３ａ〜１４３ｃが接続されたＰＣ１４０ａ〜１４０ｃを備える。尚、無線カード１４３ａ〜１４３ｃは、第１〜第８のいずれかの実施形態の無線通信装置によるものである。
【０１３９】
このとき、無線カード１４３ａ〜１４３ｃが無線ＬＡＮシステムによる通信を行うように制御されると、ＰＣ１４０ａ〜１４０ｃ がＰＣ１０１とデータのやり取りを行って、無線ＬＡＮシステムによる通信ネットワークを構築する。又、ＰＣ１４０ａ〜１４０ｃは、それぞれ、ＡＶデータ送信機１２８から送信されるＡＶ機器１２１からのＡＶデータの受信も選択可能である。これにより、ＬＡＮと小規模放送の受信の選択が可能な通信システムを構築できる。
【０１４０】
尚、ＱｏＳを確保してＡＶデータを送受信する場合でも、ＡＶデータ以外に数百Ｋｂｐｓ程度のデータ通信は可能である。このＡＶデータ以外の数百Ｋｂｐｓ程度のデータ通信機能を、リモコンなどの制御データによるデータ通信を含む他のデータ通信（例えばＴＣＰ／ＩＰなど）に用いてもかまわない。
【０１４１】
＜無線通信装置の第２の使用例＞
本例では、ＡＶソースとなるＡＶ機器が複数あるものとする。図３４の通信環境は、図３３の通信環境に対して、更に、ＡＶデータ送信機１２８ａが接続されたＡＶソース側のＡＶ機器１２１ａが備えられる。このような通信環境において、ＰＣ１４０ａ〜１４０ｃは、それぞれ、ＡＶデータ送信機１２８，１２８ａそれぞれから送信されるＡＶ機器１２１，１２１ａからの２種類のＡＶデータの受信が選択可能である。このとき、盗聴防止のために、暗号化やスクランブルなどを使用して、ＡＶデータの受信装置となる無線カードＩＣ１４３ａ〜１４３ｃは、ＡＶ機器１２１，１２１ａそれぞれからのＡＶデータのどちらか一方しか受信できないようになっていても良い。又、本例では、ＡＶソース側のＡＶ機器を２台としたが、複数台としても構わない。
【０１４２】
上述の各実施形態において、無線ＬＡＮシステムによる機能を行うブロックと無線ＡＶ伝送システムによる機能を行うブロックとを物理的に異なるものとしたが、これら２つに分けられた機能が物理的に分かれている必要はなく、１つの半導体集積回路装置やソフトウェアにおいて機能的に分かれているものとしても構わない。又、各通信制御部は、２個以上あっても同様の構成で実現できる。
【０１４３】
【発明の効果】
本発明によると、１つの無線通信装置によって、複数の無線通信システムに応じてデータ通信制御部を切り換えることで、複数の無線通信システムに対応した通信を行うことができる。よって、例えば、１つの無線通信装置を、ＬＡＮとして使用する場合と、ＡＶデータ視聴時の双方に使用できるようになる。更に、複数の無線通信システムにおいて、同じ周波数を使用することも可能になり、また、排他的に使用することにより、使用可能な周波数を無駄に消費することを防ぐことや他の無線機器に影響が出ないようにすることが出来る。又、類似した無線通信システムに対応しているので、共用する部分が多くを占め装置の小型化を図ることができる。
【図面の簡単な説明】
【図１】  第１の実施形態の無線通信装置の内部構成を示すブロック図。
【図２】  無線ＬＡＮシステムによる信号の状態を示す図。
【図３】  無線ＡＶ伝送システムによる信号の状態を示す図。
【図４】  送信側のＡＶ通信制御部の内部構成を示すブロック図。
【図５】  受信側のＡＶ通信制御部の内部構成を示すブロック図。
【図６】  無線ＡＶ伝送システム時におけるデータ再送を説明するための図。
【図７】  切換動作を示すためのフローチャート。
【図８】  図１の無線通信装置をＰＣと接続したときの様子を示すブロック図。
【図９】  図１の無線通信装置を利用した通信環境を示す図。
【図１０】  第１の実施形態の無線通信装置の別の内部構成を示すブロック図。
【図１１】  第１の実施形態の無線通信装置の別の内部構成を示すブロック図。
【図１２】  第２の実施形態の無線通信装置の内部構成を示すブロック図。
【図１３】  第２の実施形態の無線通信装置の別の内部構成を示すブロック図。
【図１４】  第３の実施形態の無線通信装置の内部構成を示すブロック図。
【図１５】  第４の実施形態の無線通信装置の内部構成を示すブロック図。
【図１６】  第４の実施形態の無線通信装置の別の内部構成を示すブロック図。
【図１７】  第４の実施形態の無線通信装置の別の内部構成を示すブロック図。
【図１８】  第４の実施形態の無線通信装置の別の内部構成を示すブロック図。
【図１９】  第４の実施形態の無線通信装置の別の内部構成を示すブロック図。
【図２０】  第４の実施形態の無線通信装置の別の内部構成を示すブロック図。
【図２１】  第５の実施形態の無線通信装置の内部構成を示すブロック図。
【図２２】  無線カードに適用したときの外観図。
【図２３】  第６の実施形態の無線通信装置の内部構成を示すブロック図。
【図２４】  無線通信装置におけるアナログ端子の様子を示すための図。
【図２５】  第６の実施形態の無線通信装置の別の内部構成を示すブロック図。
【図２６】  第６の実施形態の無線通信装置の別の内部構成を示すブロック図。
【図２７】  第７の実施形態の無線通信装置の内部構成を示すブロック図。
【図２８】  図２７の無線通信装置をＰＣと接続したときの様子を示すブロック図。
【図２９】  第７の実施形態の無線通信装置の別の内部構成を示すブロック図。
【図３０】  第７の実施形態の無線通信装置の別の内部構成を示すブロック図。
【図３１】  第８の実施形態の無線通信装置の内部構成を示すブロック図。
【図３２】  第８の実施形態の無線通信装置の別の内部構成を示すブロック図。
【図３３】  本発明の無線通信装置を利用した無線通信システムの様子を示す図。
【図３４】  本発明の無線通信装置を利用した無線通信システムの様子を示す図。
【図３５】  従来の無線ＬＡＮシステムにおける無線通信装置の内部構成を示す図。
【図３６】  従来の無線ＡＶ伝送システムにおける無線通信装置の内部構成を示す図。
【図３７】  従来の無線通信装置を用いて無線ＬＡＮシステム及び無線ＡＶ伝送システムの両システムを利用したときの様子を示す図。
【図３８】  直接拡散方式を説明するための図。
【図３９】  周波数ホッピング方式を説明するための図。
【符号の説明】
１１  アンテナ
１２  無線アナログ部
１３  変復調部
１４  ＬＡＮ通信制御部
１５  ＡＶ通信制御部
１６  バス制御部
１７  切換制御部
１８  デコード部
１９  Ｄ／Ａ変換部
【図１】
0003813100.tif 000002
【図２】
0003813100.tif 000003
【図３】
0003813100.tif 000004
【図４】
0003813100.tif 000005
【図５】
0003813100.tif 000006
【図６】
0003813100.tif 000007
【図７】
0003813100.tif 000008
【図８】
0003813100.tif 000009
【図９】
0003813100.tif 000010
【図１０】
0003813100.tif 000011
【図１１】
0003813100.tif 000012
【図１２】
0003813100.tif 000013
【図１３】
0003813100.tif 000014
【図１４】
0003813100.tif 000015
【図１５】
0003813100.tif 000016
【図１６】
0003813100.tif 000017
【図１７】
0003813100.tif 000018
【図１８】
0003813100.tif 000019
【図１９】
0003813100.tif 000020
【図２０】
0003813100.tif 000021
【図２１】
0003813100.tif 000022
【図２２】
0003813100.tif 000023
【図２３】
0003813100.tif 000024
【図２４】
0003813100.tif 000025
【図２５】
0003813100.tif 000026
【図２６】
0003813100.tif 000027
【図２７】
0003813100.tif 000028
【図２８】
0003813100.tif 000029
【図２９】
0003813100.tif 000030
【図３０】
0003813100.tif 000031
【図３１】
0003813100.tif 000032
【図３２】
0003813100.tif 000033
【図３３】
0003813100.tif 000034
【図３４】
0003813100.tif 000035
【図３５】
0003813100.tif 000036
【図３６】
0003813100.tif 000037
【図３７】
0003813100.tif 000038
【図３８】
0003813100.tif 000039
【図３９】
0003813100.tif 000040